(57)【要約】【課題】  表示パネルにおけるデータライン間のフリッカーを低減し、且つ表示パネルにおける消費電力を小さくする。【解決手段】  本発明による駆動回路は、液晶パネル４をドット反転駆動する駆動回路であって、液晶パネル４におけるデータ線群４１の電位を反転駆動するデータドライバ１と、データ線群４１の容量と共にＬＣ共振回路を形成して容量の電力を回収するインダクタ６１を備える電力回収回路６とを具備する。このような構成により、反転駆動されたデータ線群４１の容量に蓄積された残留エネルギーを電力回収回路６によって回収することができる。【選択図】  図１
2006337961.tif 000002
【特許請求の範囲】
【請求項１】
液晶パネルをドット反転駆動する駆動回路において、
前記液晶パネルにおけるデータ線群の電位を反転駆動するデータドライバと、
前記データ線群の容量と共にＬＣ共振回路を形成して前記容量の電力を回収するインダクタを備える電力回収回路とを具備する
液晶パネルの駆動回路。
【請求項２】
請求項１に記載の液晶パネルの駆動回路において、
前記電力回収回路は、前記ドット反転駆動に利用する電力を前記データドライバに供給する電源回路を更に具備し、
前記電力回収回路は、前記インダクタで回収した電力の一部を、前記電源回路に帰還する
液晶パネルの駆動回路。
【請求項３】
請求項１又は２に記載の液晶パネルの駆動回路において、
前記データ線群は、相互に隣接する第１のデータ線と第２のデータ線とを含み、
前記データドライバは、
前記第１のデータ線と前記第２のデータ線のうち一方の電位を、前記液晶パネルの対向電極の電位を基準として正極側に駆動する第１の駆動出力回路と、
前記第１のデータ線と前記第２のデータ線のうち他方の電位を、前記対向電極の電位を基準として負極側に駆動する第２の駆動出力回路とを備え、
前記第１の駆動出力回路及び第２の駆動出力回路は駆動極性に応じて駆動するデータ線を切り替える
液晶パネルの駆動回路。
【請求項４】
請求項３に記載の液晶パネルの駆動回路において、
前記電力回収回路及び前記データドライバに接続するタイミング制御部を更に備え、
前記データドライバは、前記第１の駆動出力回路及び前記第２の駆動出力回路と、前記第１のデータ線及び前記第２のデータ線との間に設けられる極性切替スイッチ部を更に備え、
前記タイミング制御部は、前記極性切替スイッチ部の開閉を制御する第１の制御信号を出力し、
前記極性切替スイッチ部は、入力される前記第１の制御信号に基づき、前記第１のデータ線又は前記第２のデータ線のうちの一方と前記第１の駆動出力回路とを接続し、前記第１のデータ線又は前記第２のデータ線のうちの他方を前記第２の駆動出力回路と接続し、
前記第１の駆動出力回路は、接続した前記第１のデータ線又は前記第２のデータ線のうちの一方を正極側に駆動し、
前記第２の駆動出力回路は、接続した前記第１のデータ線又は前記第２のデータ線のうちの他方を負極側に駆動し、
前記極性切替スイッチ部は、入力される前記第１の制御信号に基づき、前記接続を切り替える
液晶パネルの駆動回路。
【請求項５】
請求項３又は４に記載の液晶パネルの駆動回路において、
前記電力回収回路は、正極側に駆動したデータ線の電位が第１の初期電位となるまで、前記正極側に駆動したデータ線の電力を回収し、
負極側に駆動したデータ線の電位が第２の初期電位となるまで、前記負極側に駆動したデータ線の容量の電力を回収し、
前記第１の駆動出力回路は、前記第１の初期電位のデータ線を前記第１の初期電位から正極側に駆動し、
前記第２の駆動出力回路は、前記第２の初期電位のデータ線を前記第２の初期電位から負極側に駆動する
液晶パネルの駆動回路。
【請求項６】
請求項５に記載の液晶パネルの駆動回路において、
前記電力回収回路は、前記インダクタの両端と接続し、前記第１の初期電圧及び前記第２の初期電圧を決定する第１の回収制御回路を更に備え、
前記回収制御回路と前記インダクタとの間に正負両方向のフライホイール電流が流れる
液晶パネルの駆動回路。
【請求項７】
請求項６に記載の液晶パネルの駆動回路において
前記第１の回収制御回路は、前記回収を開始する際、前記データ線群の駆動極性に応じて前記フライホイール電流の電流方向を切り替える回収制御スイッチ部を備える
液晶パネルの駆動回路。
【請求項８】
請求項６又は７に記載の液晶パネルの駆動方法において、
前記電力回収回路は、前記回収の際に前記データ線群と前記インダクタとの間の接続を切り離す個別データ線スイッチ部を更に備え、
前記データ線群から分離した前記インダクタと前記第１の回収制御回路との間において前記フライホイール電流が流れる
液晶パネルの駆動回路。
【請求項９】
請求項８に記載の液晶パネルの駆動回路において、
前記回収制御スイッチ部は、前記個別データスイッチ部が前記データ線群と前記インダクタとの間の接続を切り離した後に、前記フライホイール電流を遮断し、
前記電力回収回路は、前記フライホイール電流を遮断した時の前記インダクタの両端の電圧の一部を前記電源回路に帰還する第２の回収制御回路を更に具備する
液晶パネルの駆動回路。
【請求項１０】
請求項９に記載の液晶パネルの駆動回路において、
前記第２の回収制御回路は、前記フライホイール電流を、前記電源回路の正極側電源に回収する第１の回収回路と、負極側電源に回収する第２の回収回路とを備える
液晶パネルの駆動回路。
【請求項１１】
請求項１０に記載の液晶パネルの駆動回路において、
前記第１のデータ線は第１のノードを介して前記インダクタの一端に接続し、
前記第２のデータ線は第２のノードを介して前記インダクタの他端に接続し、
前記回収制御スイッチは、前記第１のノードと前記第２のノードとの間に設けられ、
前記第１の回収制御回路は、
アノードが前記回収制御スイッチ部に接続する第１の回収制御ダイオードと、
カソードが前記回収制御スイッチ部に接続する第２の回収制御ダイオードとを更に備え、
前記タイミング制御部は、前記回収制御スイッチ部の開閉を制御する第２の制御信号を前記回収制御スイッチ部に出力し、
前記回収制御スイッチ部は、入力される第２の制御信号に基づき、前記第１のデータ線と前記第１の回収制御ダイオード、及び前記第２のデータ線と前記第２の回収制御ダイオードとの接続と、前記第２のデータ線と前記第１の回収制御ダイオード及び前記第１のデータ線と前記第２の回収制御ダイオードとの接続のどちらかを選択して接続する
液晶パネルの駆動回路。
【請求項１２】
請求項１１に記載の液晶パネルの駆動回路において、
前記第１の回収回路は、
前記第１のノードと、前記液晶パネルの正極側電源との間に設けられた第３の回収制御ダイオードと、
前記第２のノードと、前記液晶パネルの正極側電源との間に設けられた第５の回収制御ダイオードとを備え、
前記第２の回収回路は、
前記第２のノードと、前記液晶パネルの負極側電源との間に設けられた第４の回収制御ダイオードと、
前記第１のノードと、前記液晶パネルの負極側電源との間に設けられた第６の回収制御ダイオードとを備え、
前記データドライバが前記データ線群を駆動する際、前記タイミング制御部から入力される第３の制御信号に応じて、前記デードライバと前記データ線群との接続は切断され、
前記第３の回収制御ダイオードは、前記第１のノードにおける電力の一部を正極側電源に放出し、
前記第４の回収制御ダイオードは、前記第２のノードにおける電力の一部を負極側電源に放出し、
前記第５の回収制御ダイオードは、前記第２のノードにおける電力の一部を正極側電源に放出し、
前記第６の回収制御ダイオードは、前記第１のノードにおける電力の一部を負極側電源に放出する
液晶パネルの駆動回路。
【請求項１３】
請求項１から１２いずれか１項に記載の液晶パネルの駆動回路と、
前記液晶パネルとを具備する
表示装置。
【請求項１４】
液晶パネルをドット反転駆動する駆動方法であって、
（１）駆動出力回路が前記液晶パネルのデータ線群を反転駆動するステップと、
（２）前記駆動出力回路を電力回収回路から切り離すステップと、
（３）前記データ線群の容量と、前記電力回収回路内のインダクタとを接続して、ＬＣ共振回路を形成し、前記容量の電力を回収するステップとを具備する
液晶パネルの駆動方法。
【請求項１５】
請求項１４に記載の液晶パネルの駆動方法において、
前記ステップ（３）は、前記電力回収回路が、前記インダクタで回収した電力の一部を、前記ドット反転駆動に利用する電力を供給する電源回路に帰還するステップを備える
液晶パネルの駆動方法。
【請求項１６】
請求項１４又は１５に記載の液晶パネルの駆動方法において、
前記ステップ（１）は、
相互に隣接する第１のデータ線と前記第２のデータ線のうち一方の電位を、前記液晶パネルの対向電極の電位を基準として正極側に駆動するステップと、
前記第１のデータ線と前記第２のデータ線のうち他方の電位を、前記対向電極の電位を基準として負極側に駆動するステップと、
駆動極性に応じて前記駆動するデータ線を切り替えるステップとを備える
液晶パネルの駆動方法。
【請求項１７】
請求項１４から１６いずれか１項に記載の液晶パネルの駆動方法において、
前記ステップ（３）は、
正極側に駆動したデータ線の電位が第１の初期電位となるまで前記正極側に駆動したデータ線の電力を回収するステップと、
負極側に駆動したデータ線の電位が第２の初期電位となるまで前記負極側に駆動したデータ線の容量の電力を回収するステップとを備え、
前記ステップ（１）は、
前記第１の初期電位のデータ線を前記第１の初期電位から正極側に駆動するステップと、
前記第２の初期電位のデータ線を前記第２の初期電位から負極側に駆動するステップとを備える
液晶パネルの駆動方法。
【請求項１８】
請求項１７に記載の液晶パネルの駆動方法において、
前記ステップ（３）は、
前記インダクタによるフライホイール電流を前記インダクタの両端と接続し、前記第１の初期電位及び第２の初期電位を決める第１の回収制御回路に流すステップと、
前記フライホイール電流の向きを前記データ線の駆動極性に応じて変更するステップとを備える
液晶パネルの駆動方法。
【請求項１９】
請求項１８に記載の液晶パネルの駆動方法において、
前記ステップ（３）は、
前記データ線群と前記インダクタとの間の接続を切り離すステップと、
前記データ線群から分離したインダクタから前記フライホイール電流を流すステップとを備える
液晶パネルの駆動方法。
【請求項２０】
請求項１８又は１９に記載の液晶パネルの駆動方法において、
前記ステップ（３）は、
前記データ線群と前記インダクタとの間の接続を切り離した後に、前記フライホイール電流を遮断するステップと、
前記フライホイール電流を遮断した時の前記インダクタの両端の電圧の一部を前記電源回路に帰還するステップを備える
液晶パネルの駆動方法。
【請求項２１】
請求項１８から２０いずれか１項に記載の液晶パネルの駆動方法において、
前記ステップ（３）は、
前記フライホイール電流を、前記液晶パネルの正極側電源に回収するステップと、
前記フライホイール電流を、前記液晶パネルの負極側電源に回収するステップとを備える
液晶パネルの駆動方法。
【請求項２２】
請求項２１に記載の液晶パネルの駆動方法において、
前記ステップ（３）は、
前記第１のデータ線が、第１のノードを介して前記インダクタの一端に接続するステップと、
前記第２のデータ線が、第２のノードを介して前記インダクタの他端に接続するステップと、
前記第１のノードと前記第２のノードとの間に設けられた回収制御スイッチ部が、前記第１のデータ線と第１の回収制御ダイオード、及び前記第２のデータ線と前記第２の回収制御ダイオードとの接続と、前記２のデータ線と前記第１の回収制御ダイオード及び前記第１のデータ線と前記第２の回収制御ダイオードとの接続のどちらかを選択して接続するステップとを備える
液晶パネルの駆動方法。
【請求項２３】
請求項２２に記載の液晶パネルの駆動方法において、
前記第１のノードと前記第１のデータ線との接続を切断するステップと、
前記第２のノードと前記第２のデータ線との接続を切断するステップとを備え、
前記ステップ（３）は、
前記第１のノードと、前記液晶パネルの正極側電源との間に設けられた第３の回収制御ダイオードが、前記第１のノードにおける電力の一部を正極側電源に放出し、
前記第２のノードと、前記液晶パネルの負極側電源との間に設けられた第４の回収制御ダイオードが、前記第２のノードにおける電力の一部を負極側電源に放出するステップと、
前記第２のノードと、前記液晶パネルの正極側電源との間に設けられた第５の回収制御ダイオードが、前記第２のノードにおける電力の一部を正極側電源に放出するステップと、
前記第１のノードと、前記液晶パネルの負極側電源との間に設けられた第６の回収制御ダイオードが、前記第１のノードにおける電力の一部を負極側電源に放出するステップとを備える
液晶パネルの駆動方法。
【発明の詳細な説明】
【技術分野】
【０００１】
本発明は、駆動回路及びそれを用いた表示装置に関し、特に液晶パネルに対してドット反転駆動する駆動回路、表示装置及び駆動方法に関する。
【背景技術】
【０００２】
液晶パネルを駆動するには、信頼性向上のため１フレーム毎に極性の反転した電圧を液晶に与える、交流駆動方法をとる。特にアクティブマトリックス駆動のアクティブ素子を利用した液晶パネルに用いられ、極性反転駆動を伴う駆動方式には、フリッカーの発生を防ぐために、１ゲート信号線毎にデータ信号線に書き込む電圧を同一の極性で反転するゲートライン反転（ＣＯＭ反転）駆動や、１データ信号線毎に極性反転した電圧を書き込むデータライン反転駆動、そして、水平・垂直方向に１画素単位で極性の反転した電圧を書き込むドット反転駆動がある。
【０００３】
ライン反転駆動は、ＣＯＭ電極（対向電極）の電位Ｖｃｏｍを反転させることで、ビデオ電圧の電圧振幅をドット反転駆動の約２分の１にでき、消費電力を抑えることができる。しかしながら、横方向に同極が並ぶことになり、周波数を下げた場合に横線としてフリッカーが現れやすくなる。一方、ドット反転駆動は、Ｖｃｏｍを一定にし、液晶パネルの画素毎にビデオ電圧としてプラス極／マイナス極に別々の電圧をかける。このため、反転駆動に伴うフリッカーが全ての隣接画素間で相殺され、フリッカーノイズ（ちらつき）に強く、視覚的に最も高画質となる。
【０００４】
表示パネルの駆動回路において、表示パネルの駆動電力の一部を回収する電力回収回路を設け、消費電力を低減する技術が開示されている。
【０００５】
特開２０００−１８１４０５号公報では、ＬＣ共振回路を利用してＰＤＰのアドレス電極の電力を回収する電力回収回路を備える表示パネルの駆動方法が開示されている（特許文献１参照）。特開２０００−１８１４０５号公報には、駆動電源に対する負荷に付随する静電容量と、このインダクタンス素子との共振によって静電容量の充電に関わる電力の回収及び再利用をする表示パネルの駆動方法において、直列に接続されたｎ個（ｎ≧２）のインダクタンス素子と、これらのインダクタンス素子のうちｍ個（１≦ｍ≦ｎ）に１対１の割り振りで並列に接続された計ｍ個のスイッチング素子とを有した回収回路を用い、負荷の増減に応じて電力の回収効率を一定化するように回収回路のインダクタンスを変更する技術が記載されている。
【０００６】
又、ＬＣ共振回路によってデータラインの電荷を回収する電荷回収回路を備えるデータライン駆動回路が、特開２０００−１７２２３１号公報に開示されている（特許文献２参照）。特開２０００−１７２２３１号公報には、データをサンプリングするサンプル／ホールド回路と、サンプリングしたデータを出力回路に伝えるリード／ライト回路と、電源に接続し、このデータを増幅して液晶パネルへ伝える出力回路と、列ラインの接続の切り替えパネル電荷を回収する電荷回収回路を備え、出力回路の電圧供給配線を電荷供給と電荷回収とに共有し、前記配線は前記電源と電荷回収経路とを切り替える電荷回収回路に接続したことを特徴とするマトリックスディスプレイのデータライン駆動回路が記載されている。
【特許文献１】特開２０００−１８１４０５号公報
【特許文献２】特開２０００−１７２２３１号公報
【発明の開示】
【発明が解決しようとする課題】
【０００７】
ドット反転駆動方式では、フリッカーを抑制でき高画質な液晶パネルを実現できるが、Ｖｃｏｍを一定にするため、駆動電圧の振幅が大きくなる（例えば、液晶駆動電圧の２倍）。このため、液晶表示装置全体における消費電力が増大する。又、データドライバにおける出力回路の耐圧もＣＯＭ反転駆動の場合の約２倍必要となり、より高耐圧なＩＣ製造プロセスが必要となる。従って、ドライバＩＣチップ面積が大きくなり、ドライバＩＣコストが上昇してしまう。
【課題を解決するための手段】
【０００８】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
以上のような課題を解決するため、本発明による駆動回路は、液晶パネル（４）をドット反転駆動する駆動回路であって、液晶パネル（４）におけるデータ線群（４１）の電位を反転駆動するデータドライバ（１）と、データ線群（４１）の容量（４１１、４１２）と共にＬＣ共振回路を形成して容量（４１１、４１２）の電力を回収するインダクタ（６１）を備える電力回収回路（６）とを具備する。本発明による駆動回路は、ドット反転駆動方式を採用し、反転駆動されたデータ線群（４１）の容量（４１１、４１２）に蓄積された残留エネルギーを電力回収回路（６）によって回収することができる。
【００１０】
又、本発明による電力回収回路（６）は、ドット反転駆動に利用する電力をデータドライバ（１）に供給する電源回路（３）を更に具備し、電力回収回路（６）は、インダクタ（６１）で回収した電力の一部を、この電源回路（３）に帰還する。
【００１１】
データ線群（４１）は、相互に隣接する第１のデータ線（４１３）と第２のデータ線（４１４）とを含み、データドライバ（１）は、第１のデータ線（４１３）と第２のデータ線（４１４）のうち一方の電位を、液晶パネル（４）の対向電極の電位（Ｖｃｏｍ）を基準として正極側に駆動する第１の駆動出力回路（１１）と、第１のデータ線（４１３）と第２のデータ線（４１４）のうち他方の電位を、対向電極（Ｖｃｏｍ）の電位を基準として負極側に駆動する第２の駆動出力回路（１２）とを備える。
【００１２】
第１の駆動出力回路（１１）及び第２の駆動出力回路（１２）は、駆動極性に応じて駆動するデータ線（４１３、４１４）を切り替え、隣接するデータ線を反転駆動する。
【００１３】
本発明による電力回収回路は、電力回収回路（６）及びデータドライバ（１）に接続するタイミング制御部（１６）を更に備えることが好ましい。本発明に係るデータドライバ（１）は、第１の駆動出力回路（１１）及び第２の駆動出力回路（１２）と、第１のデータ線（４１３）及び第２のデータ線（４１４）との間に設けられる極性切替スイッチ部（１７、１８、１９、２０）とを更に備えることが好ましい。タイミング制御部（１６）は極性切替スイッチ部（１７、１８、１９、２０）の開閉を制御する第１の制御信号（ＳＰ１、ＳＰ２）を出力する。
【００１４】
極性切替スイッチ部（１７、１８、１９、２０）は、入力される第１の制御信号（ＳＰ１、ＳＰ２）に基づき、第１のデータ線（４１３）又は第２のデータ線（４１４）のうちの一方と第１の駆動出力回路（１１）とを接続し、第１のデータ線（４１３）又は第２のデータ線（４１４）のうちの他方を第２の駆動出力回路（１２）と接続する。第１の駆動出力回路（１１）は、接続した第１のデータ線（４１３）又は第２のデータ線（４１４）のうちの一方を正極側に駆動し、第２の駆動出力回路（１２）は、接続した第１のデータ線（４１３）又は第２のデータ線（４１４）のうちの他方を負極側に駆動する。極性切替スイッチ部（１７、１８、１９、２０）は、第１の制御信号（ＳＰ１、ＳＰ２）に基づき駆動出力回路（１１、１２）とデータ線（４１３、４１４）との間の接続を切り替える。これにより、隣接するデータ線を正極側と負極側に反転駆動することができる。
【００１５】
電力回収回路（６）は、正極側又は負極側に駆動したデータ線群（４１）の電位が所定の値を超えないように、容量（４１１、４１２）の電力を回収する。データ線群（４１）の電位を所定の値以上又は以下にしないことで、駆動出力回路（１１、１２）の動作電圧範囲、耐圧範囲内に、データ線群（４１）の初期電位を設定することができる。
【００１６】
電力回収回路（６）は、好ましくは、正極側に駆動したデータ線の電位が第１の初期電位（ＶＦ）となるまで、正極側に駆動したデータ線の電力を回収し、負極側に駆動したデータ線の電位が第２の初期電位（−ＶＦ）となるまで、負極側に駆動したデータ線の容量の電力を回収する。次に、第１の駆動出力回路（１１）は、第１の初期電位（ＶＦ）のデータ線を第１の初期電位（ＶＦ）から正極側に駆動し、第２の駆動出力回路（１２）は、第２の初期電位（−ＶＦ）のデータ線を第２の初期電位（−ＶＦ）から負極側に駆動する。
【００１７】
本発明に係る電力回収回路（６）は、インダクタ（６１）の両端（６２、６３）と接続し、第１の初期電位（ＶＦ）及び第２の初期電位（−ＶＦ）を決める第１の回収制御回路（６４１、６４２、６４３、６４４、６５５、６５６）を更に備え、第１の回収制御回路（６４１、６４２、６４３、６４４、６５５、６５６）とインダクタとの間に正負両方向のフライホイール電流が流れる。第１の回収制御回路（６４１、６４２、６４３、６４４、６５５、６５６）にフライホイール電流が流れることで、インダクタ（６１）の両端（６２１、６３１）の電圧は、第１の回収制御回路（６４１、６４２、６４３、６４４、６５５、６５６）によって決められる第１の初期電位（ＶＦ）又は第２の初期電位（−ＶＦ）となる。
【００１８】
第１の回収制御回路（６４１、６４２、６４３、６４４、６５５、６５６）は、データ線群（４１）の容量における電力の回収を開始する際、データ線群（４１）の駆動極性に応じてフライホイール電流の電流方向を切り替える回収制御スイッチ部（６４１、６４２、６４３、６４４）を備えるこのが好ましい。
【００１９】
電力回収回路（６）は、回収の際にデータ線群（４１）とインダクタ（６１）との間の接続を切り離す個別データ線スイッチ部（１３、１４）を更に備え、個別データ線スイッチ部（１３、１４）によってデータ線群（４１）から分離したインダクタ（６１）と第１の回収制御回路（６４１、６４２、６４３、６４４、６５５、６５６）との間においてフライホイール電流が流れることが好ましい。
【００２０】
又、回収制御スイッチ部（１３、１４）は、個別データスイッチ部（１３、１４）がデータ線群（４１）とインダクタ（６１）との間の接続を切り離した後に、フライホイール電流を遮断することが好ましい。電力回収回路（６）は、フライホイール電流を遮断した時のインダクタ（６１）の両端（６２１、６３１）の電圧の一部を電源回路（３）に帰還する第２の回収制御回路（６５１、６５２、６５３、６５４）を更に具備することが好ましい。
【００２１】
第２の回収制御回路（６５１、６５２、６５３、６５４）は、フライホイール電流を、電源回路（３）の正極側電源（ＶＤＤ）に回収する第１の回収回路（６５１、６５３）と、負極側電源（ＶＳＳ）に回収する第２の回収回路（６５２、６５４）とを備えることが好ましい。
【００２２】
本発明による駆動回路は、第１のデータ線（４１３）が第１のノード（６２１）を介してインダクタ（６１）の一端に接続し、第２のデータ線（４１４）が第２のノード（６３１）を介してインダクタ（６１）の他端に接続している駆動回路において、回収制御スイッチ（６４１、６４２、６４３、６４４）は、第１のノード（６２１）と第２のノード（６３１）との間に設けられ、第１の回収制御回路は、第１のノード（６２１）と、第２のノード（６３１）との間に設けられた回収制御スイッチ部（６４１、６４２、６４３、６４４）と、アノードが回収制御スイッチ部（６４１、６４２、６４３、６４４）に接続する第１の回収制御ダイオード（６５５）と、カソードが回収制御スイッチ部（６４１、６４２、６４３、６４４）に接続する第２の回収制御ダイオード（６５６）とを備える。
【００２３】
タイミング制御部（１６）は、回収制御スイッチ部（６４１、６４２、６４３、６４４）の開閉を制御する第２の制御信号（ＳＫ１、ＳＫ２）を回収制御スイッチ部（６４１、６４２、６４３、６４４）に出力する。回収制御スイッチ部（６４１、６４２、６４３、６４４）は、入力される第２の制御信号（ＳＫ１、ＳＫ２）に基づき、第１のデータ線（４１３）と第１の回収制御ダイオード（６５５）、及び第２のデータ線（４１４）と第２の回収制御ダイオード（６５６）との接続と、第２のデータ線（４１４）と第１の回収制御ダイオード（６５５）、及び第１のデータ線（４１３）と第２の回収制御ダイオード（６５６）との接続のどちらかを選択する。
【００２４】
インダクタ（６１）を経由して第１のデータ線（４１３）側から第２のデータ線（４１４）側（又はその逆向き）に流れる回収電流（ＩＬ）は、第１のデータ線（４１３）側と第１のデータ線（４１４）側の電位が等しくなっても、インダクタ（６１）の作用によりさらに流れ続けようとする。ここで、第１及び第２の回収制御ダイオード（６５５、６５６）がデータ線（４１３、４１４）に接続されているため、第２の回収制御ダイオード（６５６）→インダクタ（６１）→回収制御ダイオード（６５５）の向きの電流経路（又は逆向き）でフライホイール電流が流れるため、ノード（６２１）、及びノード（６３１）の電位は、回収制御ダイオード（６５５、６５６）の順方向電圧ＶＦ１を超えることはなく、駆動出力回路の駆動電圧の初期値を、−ＶＦ１（逆向きの場合は＋ＶＦ１）とすることができる。第１の駆動出力回路（１１）、及び第２の駆動出力回路（１２）は、それぞれ０Ｖから正極側へ、及び０Ｖから負極側への駆動能力、及び耐圧しかもたないため、初期電位の設定により、極性反転後の初期電位をそれぞれの駆動出力回路（１１、１２）の駆動能力、及び耐圧範囲内とすることができる。
【００２５】
又、電力回収回路は、第１のノード（６２１）と、液晶パネル（４）の正極側電源（ＶＤＤ）との間に設けられた第３の回収制御ダイオード（６５１）と、第２のノード（６３１）と、液晶パネル（４）の負極側電源（ＶＳＳ）との間に設けられた第４の回収制御ダイオード（６５４）と、第２のノード（６３１）と、液晶パネル（４）の正極側電源（ＶＤＤ）との間に設けられた第５の回収制御ダイオード（６５３）と、第１のノード（６２１）と、液晶パネル（４）の負極側電源（ＶＳＳ）との間に設けられた第６の回収制御ダイオード（６５２）とを更に備える。
【００２６】
データドライバ（１）がデータ線群（４１）を駆動する際、タイミング制御部（１６）から入力される第３の制御信号（ＳＤ）に応じて、デードライバ（１）とデータ線群（４１）との接続は切断され、第３の回収制御ダイオード（６５１）は、第１のノード（６２１）における電力の一部を正極側電源（ＶＤＤ）に放出し、第４の回収制御ダイオード（６５４）は、第２のノード（６３１）における電力の一部を負極側電源（ＶＳＳ）に放出し、第５の回収制御ダイオード（６５３）は、第２のノード（６３１）における電力の一部を正極側電源（ＶＤＤ）に放出し、第６の回収制御ダイオード（６５２）は、第１のノード（６２１）における電力の一部を負極側電源（ＶＳＳ）に放出する。このような構成により、フライホイール電流が遮断される際にインダクタ（６１）の両端に発生する電位差、すなわち、インダクタ（６１）の両端に残る残留エネルギーの一部を駆動電源に帰還することができる。
【発明の効果】
【００２７】
本発明による駆動回路及び表示装置によれば、良好なフリッカー低減効果を有し、且つ表示パネルにおける消費電力を小さくできる。
【００２８】
又、駆動回路のドライバＩＣチップ面積を縮小でき、ドライバＩＣの製造コストを低減できる。
【発明を実施するための最良の形態】
【００２９】
以下、添付図面を参照して、本発明による駆動回路及び表示装置の実施の形態が説明される。本実施の形態では、表示装置として液晶ディスプレイを一例に説明される。以下では、同一及び相当部分には同一符号を付して説明される。
【００３０】
（実施の形態における構成）
図１は、本発明による表示装置の構成図である。
表示装置は、データドライバ１、電源回路３、ＬＣＤパネル４、ゲートドライバ５、電力回収回路６とを備える。ＬＣＤパネル４にはデータ線群４１、及びゲート線群４２がマトリクス状に形成され、データ線群４１にはデータドライバ１が、ゲート線群４２にはゲートドライバ５が接続される。データドライバ１には電力回収回路６、及び電源回路３が接続される。電力回収回路６と電源回路３とは、電力放出線６６及び６７を介して接続される。
【００３１】
データドライバ１は、ｎ個の正極駆動アンプ１１１を含む正極駆動アンプ群１１、ｎ個の負極駆動アンプ１２１を含む負極駆動アンプ群１２、ｍ個の極性切替スイッチ１７１を含む極性切替スイッチ群１７、ｍ個の極性切替スイッチ１８１を含む極性切替スイッチ群１８、ｍ個の極性切替スイッチ１９１を含む極性切替スイッチ群１９、極性切替スイッチ群２０、ｍ個の個別データスイッチ１３１を含む個別データ線スイッチ群１３、ｍ個の個別データスイッチ１４１を含む個別データ線スイッチ群１４、階調出力回路１５、及びタイミング制御部１６とを備える（ただし、ｎは偶数、ｍ＝ｎ／２とする）。
【００３２】
データ線群４１は、奇数データ線群４１３（奇数データ線Ｄａｔａ１、３、…、ｎ−１）と偶数データ線群４１４（偶数データ線Ｄａｔａ２、４、…、ｎ）とを含む。奇数データ線群４１３は極性切替スイッチ群１７を介して正極駆動アンプ群１１に、又極性切替スイッチ群１９を介して負極駆動アンプ群１２に接続される。一方、偶数データ線群４１４は極性切替スイッチ群２０を介して正極駆動アンプ群１１に、又極性切替スイッチ群１８を介して負極駆動アンプ群１２に接続される。
すなわち、奇数データ線Ｄａｔａ１、３、…、ｎ−１はそれぞれ、極性切替スイッチ１７１を介して、正極駆動アンプ１１１に接続され、極性切替スイッチ１９１を介して、負極駆動アンプ１２１に接続される。又、偶数データ線Ｄａｔａ２、４、…、ｎはそれぞれ、極性切替スイッチ２０１を介して正極駆動アンプ１１１に接続され、極性切替スイッチ１８１を介して負極駆動アンプ１２１に接続される。
【００３３】
又、個別データ線スイッチ群１３の個別データスイッチ１３１のそれぞれの一端は、奇数データ線Ｄａｔａ１、３、…、ｎ−１のそれぞれに接続され、他端は電力回収線６２を介して電力回収回路６のＤａｔａ＿ｏｄｄ端子６２１に共通接続される。同様に、個別データ線スイッチ群１４の個別データスイッチ１４１のそれぞれの一端は、偶数数データ線Ｄａｔａ２、４、…、ｎのそれぞれに接続され、他端は電力回収線６３を介して電力回収回路６のＤａｔａ＿ｅｖｎ端子６３１に共通接続される。
【００３４】
階調出力回路１５はＬＣＤパネル４の表示特性に応じてガンマ補正された階調電圧を出力する。このとき、データ線１本おきに正極性側階調電圧及び負極性側階調電圧をそれぞれ出力し、それを各々正極駆動アンプ群１１、及び負極駆動アンプ群１２の入力端子に印加する。
【００３５】
タイミング制御部１６は、図示しないＣＰＵから入力される信号に基づき、ゲートドライバ５と同期してデータドライバ１内部に対して制御信号ＳＰ１、ＳＰ２、及びＳＤを出力し、電力回収回路６に対して制御信号ＳＫ１、ＳＫ２を出力する。極性切替スイッチ群１７及び１８は、入力される制御信号ＳＰ１によって「ｏｎ」、「ｏｆｆ」が制御される。極性切替スイッチ群１９及び２０は、入力される制御信号ＳＰ２によって「ｏｎ」、「ｏｆｆ」が制御される。又、個別データスイッチ群１３及び１４は、入力される制御信号ＳＤによって「ｏｎ」、「ｏｆｆ」が制御される。これにより、駆動するアンプ群は制御される。１ゲート線もしくは複数ゲート線毎に隣接するデータ線単位でＬＣＤパネル４のドット反転駆動する。
【００３６】
電源回路３は、電源線３１及び電源線３２を介してデータドライバ１に接続され、データドライバ１に対し、電源線３１を介して正極側電源ＶＤＤを供給し、電源線３２を介して負極側電源ＶＳＳを供給する。正極側電源ＶＤＤ及び負極側電源ＶＳＳはデータドライバＩＣの外部電源であり、一般に図示しないレギュレータで電圧制御された電源が用いられる。ゲートドライバ５は、図示しないコントローラからの信号によるタイミングで、ゲート線群４２のゲート線Ｇａｔｅ１〜ｎを選択的に駆動する。
【００３７】
図２を参照して、本発明による電力回収回路６の実施の形態における構成が説明される。電力回収回路６は、インダクタ６１、Ｄａｔａ＿ｏｄｄ端子６２１、Ｄａｔａ＿ｅｖｎ端子６３１、回収制御スイッチ６４１〜６４４、回収制御ダイオード６５１〜６５４、回収制御ダイオード６５５及び６５６を備える。回収制御スイッチ６４１及び６４３は、入力される制御信号ＳＫ１によって「ｏｎ」、「ｏｆｆ」が制御され、回収制御スイッチ６４２及び６４３は入力される制御信号ＳＫ２によって「ｏｎ」、「ｏｆｆ」が制御される。ここで、ＬＣＤパネル４における奇数データ線群４１３の全ての合計負荷容量を、奇数側データ線容量４１１、偶数データ線４１４の全ての合計負荷容量を偶数側データ線容量４１２とする。
【００３８】
Ｄａｔａ＿ｏｄｄ端子６２１には、電力回収回路６のインダクタ６１の一端、回収制御ダイオード６５１のアノード電極及び回収制御ダイオード６５２のカソード電極、回収制御スイッチ６４１及び回収制御スイッチ６４２の一端が接続される。又、Ｄａｔａ＿ｅｖｎ端子６３１には、電力回収回路６のインダクタ６１の他端、回収制御ダイオード６５３のアノード電極及びダイオード６５４のカソード電極、回収制御スイッチ６４３及び回収制御スイッチ６４４の一端が接続される。
これにより、電力回収回路６のインダクタ６１の一端は、Ｄａｔａ＿ｏｄｄ端子６２１及び電力回収線６２を介して、データドライバ１の個別データ線スイッチ群１３に接続される。又、インダクタ６１の他端は、Ｄａｔａ＿ｅｖｎ端子６３１及び電力回収線６３１を介して、データドライバ１の個別データ線スイッチ群１４に接続される。
又、電力回収線６２はＤａｔａ＿ｏｄｄ端子６３１を介して回収制御スイッチ６４１及び回収制御スイッチ６４２の一端に接続され、電力回収線６３はＤａｔａ＿ｅｖｎ端子６４１を介して回収制御スイッチ６４３及び回収制御スイッチ６４４の一端に接続される。
一方、回収制御スイッチ６４１及び回収制御スイッチ６４３の他端は回収制御ダイオード６５５のアノード電極に共通接続される。又、回収制御スイッチ６４２及び回収制御スイッチ６４４の他端は回収制御ダイオード６５６のカソード電極に共通接続される。ここで、回収制御ダイオード６５５のカソード電極及び回収制御ダイオード６５６のアノードはＧＮＤに接続される。
電力回収線６２はＤａｔａ＿ｏｄｄ端子６２１を介して回収制御ダイオード６５１及び回収制御ダイオード６５３のアノード電極に接続され、電力回収線６３はＤａｔａ＿ｅｖｎ端子６３１を介して回収制御ダイオード６５２及び回収制御ダイオード６５４のカソード電極に接続される。ここで、回収制御ダイオード６５１及び回収制御ダイオード６５３のカソード電極は正極性電源ＶＤＤに、回収制御ダイオード６５２及び回収制御ダイオード６５４のアノード電極は負極性電源ＶＳＳにそれぞれ接続される。尚、ここで用いられる回収制御ダイオード６５１、６５２、６５３、６５４、６５５、６５６は、回収動作時のエネルギー損失を小さくするため、ショットキバリア・ダイオードなどのように順方向電圧ＶＦの小さいものが好ましい。
【００３９】
図３は、本発明に係る正極駆動アンプ１１１の構成図である。図４は、本発明に係る負極駆動アンプ１２１の構成である。図３を参照して、正極駆動アンプ１１１は、前段増幅回路１１１３及び、出力段により構成され、出力段は出力トランジスタ１１１１及び定電流源負荷１１１２により構成される。そして、出力トランジスタ１１１１は正極側電源ＶＤＤに接続されるＰチャネル型トランジスタであり、定電流源負荷１１１２の電流出力側電極はＧＮＤに接続される。図４を参照して、負極駆動アンプ１２１は、前段増幅回路１２１３及び、出力段により構成され、出力段は出力トランジスタ１２１１及び定電流源負荷１２１２により構成される。そして、出力トランジスタ１２１２は負極性電源ＶＳＳに接続されるＮチャネル型トランジスタであり、定電流源負荷１２１１の電流入力側電極はＧＮＤに接続される。
【００４０】
（実施の形態における動作）
図５は、本発明による駆動回路におけるタイミングチャートである。図５を参照して、ドライバ１に入力される制御信号ＳＤ、ＳＰ１及びＳＰ２、電力回収回路６に入力される制御信号ＳＫ１及びＳＫ２、回収電流ＩＬのタイミングチャートと、奇数データ線群４１３及び偶数データ線群４１４の駆動状態、奇数データ線群４１３の駆動電圧ＶＤｏ及び偶数データ容量線群４１４の駆動電圧ＶＤｅが示される。ここでは、ドット反転駆動の動作に従って、奇数側データ線容量群４１１の駆動状態が負から正に変化し、再び負に戻る場合について、期間１から８までについて説明される。尚、このとき偶数側データ線容量群４１２の駆動状態は奇数側データ線容量４１１とは全く逆となる。
【００４１】
（期間１）
タイミング制御部１６から入力されるＬｏｗレベルの制御信号ＳＰ２によって、極性切替スイッチ群１９及び極性切替スイッチ群２０は「ｏｆｆ」となる。又、タイミング制御部１６から入力されるＨｉレベルの制御信号ＳＫ１により回収制御スイッチ６４１及び６４４は「ｏｎ」となる。これにより、奇数側データ線容量４１１及び偶数側データ線容量４１２は、正極駆動アンプ群１１及び負極駆動アンプ群１２から切り離される。
【００４２】
（期間２）
タイミング制御部１６からＨｉレベルの制御信号ＳＤが入力され、個別データ線スイッチ群１３及び個別データ線スイッチ群１４は「ｏｎ」となる。すると、奇数側データ線容量４１１、偶数側データ線容量４１２及びインダクタ６１からなるＬＣ共振回路が形成され、インダクタ６１には偶数側データ線容量４１２側から奇数側データ線容量４１１側に回収電流ＩＬが流れる。これに伴い、奇数データ線群４１３の駆動電圧ＶＤｏはＶＳＳ側からＧＮＤ側に上昇し、一方、偶数データ線群４１４の駆動電圧ＶＤｅはＶＤＤ側からＧＮＤ側に低下する。そして、奇数データ線群４１３の駆動電圧ＶＤｏと偶数データ線群４１４の駆動電圧ＶＤｅが等しくなった時点で回収電流ＩＬは最大値ＩＬ２となる。この際、回収制御スイッチ６４１及び６４４が「ｏｎ」になっているため、回収制御ダイオード６５５及び６５６の順方向電圧をＶＦ１とすると、奇数データ線群４１３の駆動電圧ＶＤｏはＶＦ１より高くならず、偶数データ線群４１４の駆動電圧ＶＤｅは−ＶＦ１より低くはならない。このとき、回収制御ダイオード６５６→回収制御スイッチ６４４→インダクタ６１→回収制御スイッチ６４１→回収制御ダイオード６５５の電流経路でフライホイール電流が流れ、理想的にはＩＬ２で維持される。しかし、実際の回路では電流路の寄生抵抗分により電力消費されるため、徐々に減衰していく。このため、回収制御ダイオード６５５、６５６にはＶＦ１の小さいショットキバリア・ダイオードなどが望ましい。
【００４３】
（期間３）
インダクタ６１にフライホイール電流が流れている期間中に、制御信号ＳＤをＬｏｗレベルにすることで、個別データ線スイッチ群１３及び個別データ線スイッチ群１４は「ｏｆｆ」となる。これにより、奇数側データ線容量４１１及び偶数側データ線容量４１２は電力回収回路６から切り離される。
【００４４】
（期間４）
期間３における制御信号動作に続いて、タイミング制御部１６から入力されるＨｉレベルの制御信号ＳＰ１により極性切替スイッチ群１７及び極性切替スイッチ群１８は「ｏｎ」となる。これにより、奇数側データ線容量４１１は正極駆動アンプ群１１により正極性駆動されるので、奇数側データ線容量４１１の駆動電圧ＶＤｏはＶＤＤ側に上昇し、偶数側データ線容量４１２は負極駆動アンプ群１２により負極性駆動されるので、駆動電圧ＶＤｅはＶＳＳ側に低下する。
【００４５】
一方、制御信号ＳＰ１がＨｉレベルになるタイミングとほぼ同時期に制御信号ＳＫ１はＬｏｗレベルで入力され、回収制御スイッチ６４１、６４４は「ｏｆｆ」となる。これによってフライホイール電流ＩＬ２が遮断されるので、Ｄａｔａ＿ｏｄｄ端子６２１に正の高電圧が発生しようとする。又同時に、Ｄａｔａ＿ｏｄｄ端子６３１には負の高電圧が発生しようとする。これらの高電圧は、インダクタ６１の電流エネルギーが電圧エネルギーに変換されたものである。
【００４６】
ここで、電源回路３の正極側電源ＶＤＤは電力放出線６６を介して回収制御ダイオード６５１と接続され、負極側電源ＶＳＳは電力放出線６７を介して電力回収制御ダイオード６５４と接続されているので、これらのダイオードの順方向電圧をＶＦ２とすれば、Ｄａｔａ＿ｏｄｄ端子６２１に発生した正の高電圧はＶＤＤ＋ＶＦ２を超えるとすぐに正極側電源ＶＤＤ側に流れ出す。一方、Ｄａｔａ＿ｅｖｎ端子６３１に発生した負の高電圧はＶＳＳ−ＶＦ２を超えるとすぐに負極側電源ＶＳＳ側に流れ出す。尚、回収制御ダイオード６５１及び６５４に用いるダイオードとしては、インダクタ６１から変換された電圧エネルギーを即座に正極側電源ＶＤＤ又は負極側電源ＶＳＳに流すようにするため、接合容量の小さいファストリカバリ・ダイオードなどが望ましい。
【００４７】
ここで、正極側電源ＶＤＤ及び負極側電源ＶＳＳはデータドライバＩＣの外部電源であり、一般に図示しないレギュレータで電圧制御された電源が用いられる。レギュレータの電源出力端子には平滑用容量が接続され、負荷電流が増加して出力端子の電圧が低下すると、レギュレータが動作してその低下分を補って所定の出力電圧であるＶＤＤ又はＶＳＳに維持しようとする。そこで、回収制御ダイオード６５１及び回収制御ダイオード６５４を正極側電源ＶＤＤ、負極側電源ＶＳＳの出力端子の間に接続することで、回収回路６で発生した正負の電圧エネルギーを、それぞれ正極側電源ＶＤＤ及び負極側電源ＶＳＳに還元する。これにより、負荷電流による電源出力端子の電圧低下を補うことができるので、レギュレータはその分、電圧低下補償をせずに済むことから、電源の消費電力を低減することができる。
【００４８】
（期間５）
Ｌｏｗレベルの制御信号ＳＰ１により極性切替スイッチ群１７及び極性切替スイッチ群１８は、「ｏｆｆ」となり、Ｈｉレベルの制御信号ＳＫ２により回収制御スイッチ６４２、６４３は「ｏｎ」となる。これにより、奇数側データ線容量４１１及び偶数側データ線容量４１２が、正極駆動アンプ群１１及び負極駆動アンプ群１２から切り離される。
【００４９】
（期間６）
Ｈｉレベルの制御信号ＳＤが入力されることにより、個別データ線スイッチ群１３及び個別データ線スイッチ群１４は「ｏｎ」となる。すると、奇数側データ線容量４１１、偶数側データ線容量４１２及びインダクタ６１からなるＬＣ共振回路が形成され、インダクタ６１には奇数側データ線容量４１１側から偶数側データ線容量４１２側に回収電流ＩＬが流れる。これに伴い、奇数データ線群４１３の駆動電圧ＶＤｏはＶＤＤ側からＧＮＤ側に低下し、一方、偶数データ線群４１４の駆動電圧ＶＤｅはＶＳＳ側からＧＮＤ側に上昇する。そして、奇数データ線群４１３の駆動電圧ＶＤｏと偶数データ線群４１４の駆動電圧ＶＤｅが等しくなった時点で回収電流ＩＬは最大値ＩＬ１となる。この際、回収制御スイッチ６４２及び６４３が「ｏｎ」になっているため、回収制御ダイオード６５５及び６５６の順方向電圧をＶＦ１とすると、奇数データ線群４１３の駆動電圧ＶＤｏは−ＶＦ１より低くならず、偶数データ線群４１４の駆動電圧ＶＤｅはＶＦ１より高くはならない。このとき、今度は回収制御ダイオード６５６→回収制御スイッチ６４２→インダクタ６１→回収制御スイッチ６４３→回収制御ダイオード６５５の電流経路でフライホイール電流が流れ、理想的にはＩＬ１で維持される。しかし、実際の回路では電流路の寄生抵抗分により電力消費されるため、徐々に減衰していく。このため、回収制御ダイオード６５５、６５６にはＶＦ１の小さいショットキバリア・ダイオードなどが望ましい。
【００５０】
（期間７）
期間３と同様の動作である。
【００５１】
（期間８）
期間７における制御信号動作に続いて、タイミング制御部１６から入力されるＨｉレベルの制御信号ＳＰ２により、極性切替スイッチ群１９及び極性切替スイッチ群２０は「ｏｎ」となる。これにより、奇数側データ線容量４１１は負極駆動アンプ群１２により負極性駆動され、駆動電圧ＶＤｏはＶＳＳ側に低下し、又偶数側データ線容量４１２は正極駆動アンプ群１１により正極性駆動され、駆動電圧ＶＤｅはＶＤＤ側に上昇する。
【００５２】
一方、制御信号ＳＰ２がＨｉレベルになるタイミングとほぼ同時期に制御信号ＳＫ２はＬｏｗレベルで入力され、回収制御スイッチ６４２、６４３は「ｏｆｆ」となる。これによりフライホイール電流ＩＬ１が遮断されるので、Ｄａｔａ＿ｏｄｄ端子６２１には負の高電圧が発生しようとすると同時に、Ｄａｔａ＿ｅｖｎ端子６３１には正の高電圧が発生しようとする。これらの高電圧は、インダクタ６１の電流エネルギーが電圧エネルギーに変換されたものである。
【００５３】
ここで、電源回路３の正極側電源ＶＤＤは電力放出線６６を介して回収制御ダイオード６５２と接続され、負極側電源ＶＳＳは電力放出線６７を介して電力回収制御ダイオード６５３と接続されているので、これらのダイオードの順方向電圧をＶＦ２とすれば、正の高電圧はＶＤＤ＋ＶＦ２を超えるとすぐに正極側電源ＶＤＤ側に流れ出し、一方、負の高電圧はＶＳＳ−ＶＦ２を超えるとすぐに負極側電源ＶＳＳ側に流れ出す。尚、回収制御ダイオード６５２及び６５３として用いるダイオードとしては、インダクタ６１から変換された電圧エネルギーを即座に正極側電源ＶＤＤ又は負極側電源ＶＳＳに流すようにするため、接合容量の小さいファストリカバリ・ダイオードなどが望ましい。
【００５４】
図３を参照して、正極駆動アンプ１１１のアンプ耐圧を液晶駆動電圧とほぼ等しくするために、アンプ回路全体が、電圧ＶＤＤとＧＮＤとの間で動作する回路とする必要がある。このため、電力回収回路６を使用する際に、極性切替スイッチ群１７、１８、１９、２０を切り替えた時にも正極駆動アンプ１１１の出力端子にＬＣＤパネル４側から印加される電圧をＶＤＤとＧＮＤの範囲内間にする。更に、正極駆動アンプ１１１では電位の立ち下げ機能がないため、アンプ駆動開始時点の負荷電圧をＧＮＤ近傍とする。
【００５５】
図２を参照して、本発明に係る電力回収回路６は、動作期間２にて奇数側データ線容量４１１の電位がＶＦ１より高くはならないので、アンプ駆動開始時点の負荷電位はＶＦ１となり、正極駆動アンプ１１１は立ち上げ動作のみを行なえば良い。又、アンプ出力端子に印加される電圧もＶＤＤ−ＶＦであるから、アンプ耐圧は液晶動作電圧であるＶＤＤとほぼ同じ電圧で良い。仮に、表示パターンによっては偶数側データ線容量４１２の駆動電圧が小さいために正の残留電荷が少なく、電力回収をしても奇数側データ線容量４１１の電位がＶＳＳから０Ｖにまで達しない場合でも、回収制御ダイオード６５６によりＧＮＤにクランプされるので、正極駆動アンプ１１１の駆動初期電位は少なくとも−ＶＦ１よりは正側になる。従って、アンプ駆動開始時点の負荷電圧は−ＶＦ１、またアンプの最大印加電圧はＶＤＤ＋ＶＦ１となり、やはり液晶駆動電圧であるＶＤＤとほぼ同じ電圧で良い。
【００５６】
一方、図４を参照して、負極駆動アンプ１２１の場合は、正極駆動アンプ１１１の場合と全く逆に考えれば良く、同様の説明により、アンプ駆動開始時点の負荷電位はＶＦ１、又アンプの最大印加電圧はＶＳＳ＋ＶＦ１となる。
【００５７】
ここで、液晶駆動電圧は正負側でほぼ対称とすれば、負極側電源ＶＳＳは、ほぼ正極側電源ＶＤＤと等しいと見なしても良く、正極駆動アンプ１１１及び負極駆動アンプ１２１の耐圧は液晶駆動電圧とほぼ同じにすることができる。従って、本発明に係る液晶アンプ回路を構成するトランジスタの耐圧を抑制し、ドライバチップサイズの小型化が達成でき、ドライバチップコストの低減が可能である。インダクタ６１に蓄積した回収エネルギーを回収容量に移送せずに電源に戻すことで、外付け部品のコストを低減することができる。
【００５８】
以上のように、本発明による駆動回路及び表示装置は、ドット反転駆動方式を採用することで、データライン間のフリッカーを低減でき、且つ液晶パネルの駆動電圧の振幅を抑制する事で消費電力を低減することができる。
【００５９】
以上、本発明の実施の形態を詳述してきたが、具体的な構成は上記実施の形態に限られるものではなく、本発明の要旨を逸脱しない範囲の変更があっても本発明に含まれる。
【図面の簡単な説明】
【００６０】
【図１】図１は、本発明による表示装置の構成図である。
【図２】図２は、本発明による電力回収回路の細部構成図である。
【図３】図３は、本発明に係る正極駆動アンプの構成図である。
【図４】図４は、本発明に係る負極駆動アンプの構成図である。
【図５】図５は、本発明による表示装置の駆動動作におけるタイミングチャート図である。
【符号の説明】
【００６１】
１  ：  データドライバ
１１  ：  正極駆動アンプ群
１１１  ：  正極駆動アンプ
１１１１、１２１２  ：  出力トランジスタ
１１１２、１２１１  ：  定電流源負荷
１２  ：  負極駆動アンプ群
１２１  ：  負極駆動アンプ
１３  ：  個別データ線スイッチ群
１３１  ：  個別データ線スイッチ
１４  ：  個別データ線スイッチ群
１４１  ：  個別データ線スイッチ
１５  ：  階調出力回路
１６  ：  タイミング制御部
１７  ：  極性切替スイッチ群
１７１  ：  極性切替スイッチ
１８  ：  極性切替スイッチ群
１８１  ：  極性切替スイッチ
１９  ：  極性切替スイッチ群
１９１  ：  極性切替スイッチ
２０  ：  極性切替スイッチ群
２０１  ：  極性切替スイッチ
３  ：  電源回路
３１、３２  ：  電力供給線
４  ：  ＬＣＤパネル
４１  ：  データ線群
４１１  ：  奇数側データ線容量
４１２  ：  偶数側データ線容量
４１３  ：  奇数側データ線群
４１４  ：  偶数側データ線群
４２  ：  ゲート線群
５  ：  ゲートドライバ
６  ：  電力回収回路
６１  ：  インダクタ
６２、６３  ：  電力回収線
６２１  ：  Ｄａｔａ＿ｏｄｄ端子
６３１  ：  Ｄａｔａ＿ｅｖｎ端子
６４１、６４２、６４３、６４４  ：  回収制御スイッチ
６５１、６５２、６５３、６５４、６５５、６５６  ：  回収制御ダイオード
６６、６７  ：電力放出線
【図１】
2006337961.tif 000003
【図２】
2006337961.tif 000004
【図３】
2006337961.tif 000005
【図４】
2006337961.tif 000006
【図５】
2006337961.tif 000007